(57)【要約】【課題】框の強度を向上させ、かつ虫の侵入を確実に防止すること。【解決手段】室外側に配置したガラス窓３０は、四周框組した各框部材３１，３２，３３の内周側に広幅部３２ａ，３３ａを有するとともに外周側に狭幅部３２ｂ，３３ｂを有し、広幅部３２ａ，３３ａにガラス板Ｇを複層組込んで構成したものであり、下框部材３２の広幅部３２ａと縦框部材３３の広幅部３３ａとをインロウ結合させ、かつ下框部材３２の狭幅部３２ｂにおいて室外側に向いた見付け面と縦框部材３３の狭幅部３３ｂにおいて室外側に向いた見付け面３３ｃとを同一平面上に位置させた。【選択図】図４
2011021333.tif 000002
【特許請求の範囲】
【請求項１】
枠部材を四周枠組みして構成した開口枠の内外に内側障子及び外側障子を配設し、さらに外側障子よりも外側となる部位に網戸をスライド可能に配設して成り、
内側障子及び外側障子は、それぞれ四周框組した各框部材の内周側に広幅部を有するとともに外周側に狭幅部を有し、広幅部に面材を複層組込んで構成したものであり、
網戸の框部材には、縦框部材に沿って延在するとともに外側障子に向けて突出し、外側障子の縦框部材に設けた広幅部との隙間を塞ぐ第１隙間塞ぎ材と、第１隙間塞ぎ材の端部からそれぞれ外側障子に向けて突出し、外側障子の横框部材に設けた狭幅部との隙間を塞ぐ第２隙間塞ぎ材とを設けた建具において、
外側障子は、横框部材の広幅部と縦框部材の広幅部とをインロウ結合させ、かつ横框部材の狭幅部において外側に向いた見付け面と縦框部材の狭幅部において外側に向いた見付け面とを同一平面上に位置させたことを特徴とする建具。
【請求項２】
外側障子の横框部材は、広幅部の見付け方向に沿った寸法が狭幅部の見付け方向に沿った寸法よりも大きくなるように構成したことを特徴とする請求項１に記載の建具。
【発明の詳細な説明】
【技術分野】
【０００１】
本発明は、開口枠の内外に内側障子及び外側障子を配設し、さらに外側障子よりも外側となる部位に網戸をスライド可能に配設した建具に関するものである。
【背景技術】
【０００２】
建造物に設けられる引き違い窓や片引き窓等の建具には、通常、外側窓よりもさらに外側となる部位に網戸が設けられている。網戸は、窓を開放した場合にも虫が室内へ侵入するのを防止するもので、框部材を四周框組みして構成した框に網を張ることによって構成し、開口枠に対してスライド可能に配設されている。
【０００３】
網戸には、縦框部材において外側窓に対向する表面に隙間塞ぎ材が設けられている。この隙間塞ぎ材は、網戸の框部材から突出したモヘア状の部材であり、外側窓の縦框部材に当接して隙間を塞ぐことによって虫の侵入を確実に防止するためのものである。
【０００４】
ここで、昨今の窓には、面材として複層ガラスを備えたものも提供されている。複層ガラス窓は、框に２枚のガラス板を装着することによって構成したもので、断熱性の向上を図ることが可能となる。しかしながら、複層ガラス窓の框では、ガラス板を装着する内周部分に比べて外周部分が狭幅になるため、上述した隙間塞ぎ材によっては網戸と外側窓との間の隙間を塞ぐことが困難となる。
【０００５】
そこで、複層ガラス窓に対しては、網戸の框部材において横框部材の狭幅部に対向する部位に第２の隙間塞ぎ材を配設するようにしたものも提供されている。すなわち、外側窓の縦框部材において広幅となる部分に対しては、従前と同様の隙間塞ぎ材によって隙間を塞ぎ、かつ外側窓の縦框部材において狭幅となる部分に対しては、隙間塞ぎ材よりも突出量の大きな第２の隙間塞ぎ材によって隙間を塞ごうというものである。第２の隙間塞ぎ材としては、網戸の框部材からの突出量が大きいため、比較的剛性のある合成樹脂材によってプレート状に形成したものが適用されている（例えば、特許文献１参照）。
【先行技術文献】
【特許文献】
【０００６】
【特許文献１】特許第３３１４８７１号公報
【発明の概要】
【発明が解決しようとする課題】
【０００７】
ところで、通常の障子においては、強度の向上を図るため、框部材の相互をインロウ結合によって接続することが行われている。インロウ結合とは、一方を他方の内部に嵌合させた状態で両者を接続する方式である。例えば、図８に示す複層ガラス窓では、縦框部材１の広幅部１ａを下框部材２の広幅部２ａに嵌合させるとともに、縦框部材１の狭幅部１ｂに対してその内部に下框部材２の狭幅部２ｂを嵌合させ、この状態で両者を接続することにより、框の強度を向上させるようにしている。
【０００８】
しかしながら、上記のように框部材１，２をインロウ結合させた場合には、縦框部材１の狭幅部１ｂと下框部材２の狭幅部１ｂとの間に縦框部材１の板厚分だけ段差が生じる。つまり、縦框部材１の狭幅部１ｂと下框部材２の狭幅部２ｂとでは、縦框部材１の狭幅部１ｂが網戸３に対して板厚分だけ突出することになる。
【０００９】
網戸３は、外側のガラス窓に対してスライド移動するため、網戸３に設ける第２の隙間塞ぎ材４を下框部材２の狭幅部２ｂに当接させた場合、スライド移動の際に縦框部材１の狭幅部１ｂに干渉する。上述したように、第２の隙間塞ぎ材４としては、突出量が大きいため、第１の隙間塞ぎ材５のようにモヘヤ状のものを適用することが困難であり、比較的剛性のある合成樹脂材によって成形したものを適用している。従って、第２の隙間塞ぎ材４としては、図９に示すように、その先端を突出側となる縦框部材１の狭幅部１ｂに当接させざるを得ない。この結果、第２の隙間塞ぎ材４が下框部材２の室外側に向いた見付け面に配置された状態においては、図１０に示すように、第２の隙間塞ぎ材４の先端と下框部材２における狭幅部２ｂの見付け面との間に段差分だけ隙間ｓを生じ、虫が室内に侵入する虞れがある。
【００１０】
本発明は、上記実情に鑑みて、框の強度を向上させ、かつ虫の侵入を確実に防止することのできる建具を提供することを目的とする。
【課題を解決するための手段】
【００１１】
上記目的を達成するため、本発明に係る建具は、枠部材を四周枠組みして構成した開口枠の内外に内側障子及び外側障子を配設し、さらに外側障子よりも外側となる部位に網戸をスライド可能に配設して成り、内側障子及び外側障子は、それぞれ四周框組した各框部材の内周側に広幅部を有するとともに外周側に狭幅部を有し、広幅部に面材を複層組込んで構成したものであり、網戸の框部材には、縦框部材に沿って延在するとともに外側障子に向けて突出し、外側障子の縦框部材に設けた広幅部との隙間を塞ぐ第１隙間塞ぎ材と、第１隙間塞ぎ材の端部からそれぞれ外側障子に向けて突出し、外側障子の横框部材に設けた狭幅部との隙間を塞ぐ第２隙間塞ぎ材とを設けた建具において、外側障子は、横框部材の広幅部と縦框部材の広幅部とをインロウ結合させ、かつ横框部材の狭幅部において外側に向いた見付け面と縦框部材の狭幅部において外側に向いた見付け面とを同一平面上に位置させたことを特徴とする。
【００１２】
この発明によれば、外側障子において横框部材の広幅部と縦框部材の広幅部とがインロウ結合され、かつ網戸に対向する狭幅部の見付け面が同一平面上に位置するため、第２隙間塞ぎ材の先端を常に狭幅部の見付け面に当接させることができる。
【００１３】
また、本発明に係る建具は、上述した建具において、外側障子の横框部材は、広幅部の見付け方向に沿った寸法が狭幅部の見付け方向に沿った寸法よりも大きくなるように構成したことを特徴とする。
【００１４】
この発明によれば、インロウ結合する框部材の接合面積を十分に確保することができ、框の強度を向上させることが可能になる。
【発明の効果】
【００１５】
本発明によれば、外側障子において横框部材の広幅部と縦框部材の広幅部とがインロウ結合され、かつ網戸に対向する狭幅部の見付け面が同一平面上に位置するため、框に強度を確保しつつ、第２隙間塞ぎ材の先端を常に狭幅部の見付け面に当接させることができ、虫の侵入を確実に防止することができるようになる。
【図面の簡単な説明】
【００１６】
【図１】図１は、本発明の実施の形態である建具の縦断面図である。
【図２】図２は、図１におけるＡ−Ａ線断面図である。
【図３】図３は、図１におけるＢ−Ｂ線断面図である。
【図４】図４は、図１に示した建具の要部を示す斜視図である。
【図５】図５は、図１に示した建具の要部を示す縦断面図である。
【図６】図６は、図１に示した建具の要部を下方から見た横断面図である。
【図７】図７は、図１に示した建具に適用する網戸の要部を示す斜視図である。
【図８】図８は、従来の建具の要部を示す斜視図である。
【図９】図９は、図８に示した建具の要部を示す縦断面図である。
【図１０】図１０は、図８に示した建具の要部を下方から見た横断面図である。
【発明を実施するための形態】
【００１７】
以下、添付図面を参照しながら本発明に係る建具の好適な実施の形態について詳細に説明する。
【００１８】
図１は、本発明の実施の形態である建具を示した縦断面図、図２及び図３は、その横断面図である。ここで例示する建具は、開口枠１０に左右２枚のガラス窓２０，３０を備え、開口枠１０に対して２枚のガラス窓２０，３０を左右方向にスライドさせて開閉する、いわゆる「引き違い窓」と称されるサッシ窓であり、室外側に配置したガラス窓３０のさらに室外側となる部位に網戸４０を備えている。
【００１９】
開口枠１０は、上枠部材１１、下枠部材１２及び左右一対の縦枠部材１３を四周枠組みすることによって構成したもので、家屋の壁Ｗに形成した開口ＷＯに対してその縁部に沿うように配設してある。
【００２０】
ガラス窓２０，３０は、それぞれ上框部材２１，３１、下框部材２２，３２及び左右一対の縦框部材２３，３３を四周框組みすることによって構成した框の内部に２枚のガラス板Ｇを保持した「複層ガラス窓」と称されるもので、開口枠１０の内部に装着可能な大きさに構成してある。
【００２１】
図４〜図６は、室外側に配置したガラス窓３０において縦框部材３３と下框部材３２との接合部を示したものである。図からも明らかなように、ガラス窓３０の縦框部材３３及び下框部材３２は、それぞれ内周側に広幅部３３ａ，３２ａを有するとともに外周側に狭幅部３３ｂ，３２ｂを有しており、個々の広幅部３３ａ，３２ａを介して２枚のガラス板Ｇを保持している。
【００２２】
室外側に配置したガラス窓３０の縦框部材３３に設けた広幅部３３ａは、下框部材３２の広幅部３２ａよりも見込み方向の幅を大きく形成してあり、その内部に下框部材３２の広幅部３２ａを嵌合させることによってインロウ結合させてある。特に、本実施の形態では、ガラス窓３０の下框部材３２において広幅部３２ａの見付け方向に沿った寸法ｃを狭幅部３２ｂの見付け方向に沿った寸法ｄよりも大きく構成してあり、下框部材３２と縦框部材３３とにおいてインロウ結合する接合面積を十分に確保することができ、框の強度を向上させることが可能である。
【００２３】
これに対して室外側に配置したガラス窓３０の縦框部材３３は、狭幅部３３ｂが下框部材３２の狭幅部３２ｂと見込み方向の幅を同じに形成してあり、下框部材３２の広幅部３２ａと縦框部材３３の広幅部３３ａとをインロウ結合させた場合、狭幅部３３ｂの室外側に向いた見付け面３３ｃが下框部材３２における狭幅部３２ｂの室外側に向いた見付け面３２ｃと同一平面上に位置させるようにしている。
【００２４】
尚、図には明示していないが、室外側に配置したガラス窓３０の縦框部材３３と上框部材３１との間も、ガラス窓３０の縦框部材３３と下框部材３２との間と同様の構成によってインロウ結合させてあるとともに、縦框部材３３の狭幅部３３ｂと上框部材３１の狭幅部とにおいて室外側に向いた見付け面が同一平面上に位置している。また、図１に示すように、室内側に配置したガラス窓２０は、各框部材２１，２２，２３の見込み方向の幅が内周側と外周側とでほぼ同一となるように構成してある。
【００２５】
一方、網戸４０は、図１〜図３及び図７に示すように、上框部材４１、下框部材４２及び左右一対の縦框部材４３を四周框組みすることによって構成した框の内部に網Ｎを張ることによって構成したもので、ガラス窓２０，３０と同様、開口枠１０に対して左右方向にスライド可能に配設してある。
【００２６】
この網戸４０には、縦框部材４３において室内側に向いた見付け面に第１隙間塞ぎ材５０及び第２隙間塞ぎ材６０が設けてある。第１隙間塞ぎ材５０及び第２隙間塞ぎ材６０は、室外側に配置したガラス窓３０の框との間の隙間を塞ぐことによって室内に虫が侵入するのを防止するためのものである。より具体的には、網戸４０の縦框部材４３においてガラス窓３０の縦框部材３３に設けた広幅部３３ａに対応する高さ位置に第１隙間塞ぎ材５０が配設してあり、網戸４０の縦框部材４３においてガラス窓３０の下框部材３２に設けた狭幅部３２ｂに対応する高さ位置に第２隙間塞ぎ材６０が配設してある。
【００２７】
第１隙間塞ぎ材５０は、網戸４０の縦框部材４３から突出したモヘア状の部材である。この第１隙間塞ぎ材５０は、ガラス窓３０の縦框部材３３に沿って上下方向に連続しており、その先端部がガラス窓３０の縦框部材３３に設けた広幅部３３ａの見付け面３３ｄに当接している。
【００２８】
第２隙間塞ぎ材６０は、網戸４０の縦框部材４３から突出したプレート状の部材であり、第１隙間塞ぎ材５０の上端部及び下端部のそれぞれに連続するように配設してある。この第２隙間塞ぎ材６０は、比較的硬質の合成樹脂材によって成形したもので、その先端面がガラス窓３０の下框部材３２に設けた狭幅部３２ｂに対向している。
【００２９】
ここで、本実施の形態の室外側に配置したガラス窓３０においては、上述したように、縦框部材３３の狭幅部３３ｂにおいて室外側に向いた見付け面３３ｃと下框部材３２の狭幅部３２ｂにおいて室外側に向いた見付け面３２ｃとが同一平面上に位置させてある。従って、網戸４０に設ける第２隙間塞ぎ材６０の先端面がガラス窓３０の縦框部材３３に設けた狭幅部３３ｂの見付け面３３ｃに当接させるように構成すれば、第２隙間塞ぎ材６０が下框部材３２の室外側に向いた見付け面３２ｃに対向して配置された状態においても第２隙間塞ぎ材６０の先端と下框部材３２の見付け面３２ｃとの間に隙間を生じることがない。これにより、室内への虫の侵入を確実に防止することができるようになる。
【００３０】
尚、上述した実施の形態では、引き違い窓を例示しているが、片引き窓にも適用することが可能である。また、開口枠１０に対してガラス窓２０，３０を左右方向にスライドさせるものを例示しているが、上下方向にスライドするように構成しても良い。さらに、障子としては必ずしもガラス窓２０，３０である必要はなく、面材を複層備えるものであれば、その他ものにも適用することが可能である。
【００３１】
また、上述した実施の形態では、ガラス窓２０，３０の縦框部材２３，３３に設けた広幅部２３ａ，３３ａに、下框部材２２，３２の広幅部２２ａ，３２ａを嵌合させるようにしているが、ガラス窓２０，３０の下框部材２２，３２に設けた広幅部２２ａ，３２ａに、縦框部材２３，３３の広幅部２３ａ，３３ａを嵌合させて両者を結合するようにしても良い。
【符号の説明】
【００３２】
１０      開口枠
１１，１２，１３      枠部材
２０，３０      ガラス窓
２１，３１      上框部材
２２，３２      下框部材
２２ａ，３２ａ      広幅部
２２ｂ，３２ｂ      狭幅部
２３，３３      縦框部材
２３ａ，３３ａ      広幅部
２３ｂ，３３ｂ      狭幅部
４０      網戸
５０      第１隙間塞ぎ材
６０      第２隙間塞ぎ材
Ｇ      ガラス板
Ｎ      網
【図１】
2011021333.tif 000003
【図２】
2011021333.tif 000004
【図３】
2011021333.tif 000005
【図４】
2011021333.tif 000006
【図５】
2011021333.tif 000007
【図６】
2011021333.tif 000008
【図７】
2011021333.tif 000009
【図８】
2011021333.tif 000010
【図９】
2011021333.tif 000011
【図１０】
2011021333.tif 000012